(57)【要約】【課題】  パイプへ確実に物品を固定できる固定金具と、幅の広い巾木にも適応でき、巾木の取り付け取り外しが迅速確実にできる固定金具を提供することを目的とする。【解決手段】  後端を連結板１４で連結し、前方にパイプ支持部１２、１６を有する一対の挟持板１３、１５を対向して設けたクランプ部１０と、中央に開口部を有する連結板２３と、この連結板２３の両側に一対の押圧板２２、２４を対向して設けた押圧部材２０とを構成し、前記押圧部材の開口部２６にクランプ部の後部を挿入して、前記押圧部材をクランプ部に対して前後方向移動可能に取り付けた固定金具とそれを使用した固定金具。【選択図】図１
2011106104.tif 000002
【特許請求の範囲】
【請求項１】
後端を連結板で連結し、前方にパイプ支持部を有する一対の挟持板を対向して設けたクランプ部と、
中央に開口部を有する連結板と、この連結板の両側に一対の押圧板を対向して設けた押圧部材とを構成し、
前記押圧部材の開口部にクランプ部の後部を挿入して、
前記押圧部材をクランプ部に対して前後方向移動可能に取り付けた固定金具。
【請求項２】
前記押圧部材の押圧板の表面に、物品をパイプに取り付けるための取付部材を回動可能に軸支した請求項１記載の固定金具。
【請求項３】
前記押圧部材の押圧板の表面に、少なくとも１個の巾木止めを取り付けた請求項１記載の固定金具。
【請求項４】
前記巾木止めを、押圧板の表面に回動可能に軸支した請求項３記載の固定金具。
【請求項５】
前記押圧部材の押圧板の表面に、少なくとも２個の大きさの異なる巾木止めを取り付けた請求項１記載の固定金具。
【発明の詳細な説明】
【技術分野】
【０００１】
本発明は、複数のパイプを用いて組み立てる作業用足場等において、パイプへ物品を取り付けるために使用する固定金具と、その固定金具を使用した足場板用の巾木を固定するための巾木の固定金具に関するものである。
【背景技術】
【０００２】
従来は足場用のパイプへ看板などの物品を取り付けるには、番線で直接パイプに縛って固定していたが、外れやすく不安定で危険であった。
【０００３】
またパイプを使用して足場を設ける場合、作業者の歩行用に足場板を設置するが、作業中に足を踏み外したり、あるいは部品や工具が落下を防止するために足場板の周囲に巾木を取り付ける必要がある。
従来、巾木を固定するには番線で足場のパイプに縛り付けていたが、このような巾木の取付方法は手間がかかる上に、安全の面からも問題となっていた。
【０００４】
そこで特許文献１で仮設足場用巾木の固定金具が提案されていた。
この本発明は、足場のパイプ（１）に一側から着脱自在に被嵌されるパイプ抱持部（２）と、その抱持部（２）の幅方向両側からほぼ逆Ｕ字状に互いに平行に且つ、前記パイプ（１）の他側側に突出して前記パイプ（１）に平行に延在し、前記パイプ（１）に裏面が接触する巾木（３）の表面を前記パイプ（１）側に弾性的に押圧する弾性材よりなる一対のクランプ部（４）とを具備するものである。
【先行技術文献】
【特許文献】
【０００５】
【特許文献１】特開平８−１５１７８６号公報
【０００６】
前記発明によれば、パイプ（１）に立てかけられた巾木（３）をワンタッチで固定することができ、その取り外しも迅速に行い得る。しかも、構造が簡単で軽量にすることができ、多数の巾木を高所において迅速にパイプに着脱することが可能となるのである。
【発明の概要】
【発明が解決しようとする課題】
【０００７】
しかし前記特許文献１に記載の発明は、パイプ抱持部（２）がＵ字状であるため、円筒状のパイプ（１）との間に接触摩擦が少ないため、外力によって外れやすく、また上下一対に構成しなくてはならないため取り付けに不便であり、幅木の幅に制約があり幅の広い幅木には使用できないという問題点があった。
【０００８】
そこで本発明は、パイプへ看板などの物品を取り付ける際に、確実に物品を固定できる固定金具と、パイプに迅速確実に固定でき、かつ幅の広い巾木にも適応でき、巾木の取り付け、取り外しが迅速、確実にできる固定金具を提供することを目的とする。
【課題を解決するための手段】
【０００９】
本発明は、後端を連結板で連結し、前方にパイプ支持部を有する一対の挟持板を対向して設けたクランプ部と、中央に開口部を有する連結板と、この連結板の両側に一対の押圧板を対向して設けた押圧部材とを構成し、前記押圧部材の開口部にクランプ部の後部を挿入して、前記押圧部材をクランプ部に対して前後方向移動可能に取り付けた固定金具である。
【００１０】
本発明は、前記押圧部材の押圧板の表面に、物品をパイプに取り付けるための取付部材を回動可能に軸支した固定金具である。
【００１１】
本発明は、前記押圧部材の押圧板の表面に、少なくとも１個の巾木止めを取り付けた固定金具である。
【００１２】
本発明は、前記巾木止めを、押圧板の表面に回動可能に軸支した固定金具である。
【００１３】
本発明は、前記押圧部材の押圧板の表面に、少なくとも２個の大きさの異なる巾木止めを取り付けた固定金具である。
【発明の効果】
【００１４】
本発明の固定金具は、簡易な構成であり、取り扱いも簡単で確実にパイプに固定できるため、看板などの物品をパイプに迅速確実に取り付けられる。
固定金具に回動可能な取付部材を構成した場合には、取付部材の位置を調整して物品をより正確に固定することができる。
【００１５】
本発明の固定金具は、簡易な構成であり、取り扱いも簡単で、足場のパイプに迅速、確実に取り付けることができ、幅の異なる各種の巾木に適応して巾木をパイプに確実に固定することができる。
【図面の簡単な説明】
【００１６】
【図１】固定金具の実施例１の斜視図
【図２】固定金具の実施例１の斜視図
【図３】固定金具の実施例１の平面図
【図４】固定金具の実施例１の背面図
【図５】固定金具の実施例１の作動説明図
【図６】固定金具の実施例１の作動説明図
【図７】図６の一部拡大図
【図８】固定金具の実施例１の作動説明図
【図９】固定金具の実施例２の斜視図
【図１０】固定金具の実施例２の斜視図
【図１１】固定金具の使用状態の説明図
【図１２】固定金具の実施例３の斜視図
【図１３】固定金具の実施例３の斜視図
【図１４】固定金具の実施例３の使用状態の説明図
【図１５】固定金具の実施例４の斜視図
【図１６】固定金具の実施例４の斜視図
【図１７】固定金具の実施例４の使用状態の説明図
【図１８】固定金具の実施例４の使用状態の説明図
【発明を実施するための形態】
【００１７】
後端を連結板で連結し、前方にパイプ支持部を有する一対の挟持板を対向して設けたクランプ部と、中央に開口部を有する連結板と、この連結板の両側に一対の押圧板を対向して設けた押圧部材とを構成する。
前記押圧部材の開口部にクランプ部の後部を挿入して、前記押圧部材をクランプ部に対して前後方向移動可能に取り付けた固定金具。
【実施例１】
【００１８】
本発明の実施例１は、パイプに取り付けるための固定金具であり図１から図８に示すものである。
固定金具１は、平行に設けた一対の挟持板１３、１５の後端を連結板１４で連結して略Ｕ字状に構成したクランプ部１０と、前記クランプ部１０の外側に配置された一対の押圧板２２、２４の後端を、開口部２６を有する連結板２３で連結して略コ字状に構成した押圧部材２０とからなる。
【００１９】
前記クランプ部１０の連結板１４には、前方に止め板１８を連結板１４に直交して固定してある。この止め板１８は連結板２３の開口部２６の高さより長いため、押圧部材２０の後方移動を規制して、クランプ部１０からの離脱を防止する。
【００２０】
前記挟持板１３、１５は、それぞれ前方を外側（押圧部材側）に湾曲してパイプ支持部１２、１６を構成し、その先端にガイド部１１、１７を構成している。
【００２１】
一方、前記押圧部材２０の連結板２３の開口部２６は、クランプ部１０の挟持板１３、１５を挿入して前後にスライドできる大きさである。
また図３に示すように、一対の押圧板２２、２４の内側の距離Ｄ２は、クランプ部１０のパイプ支持部１２、１６の外側の距離Ｄ１より、小さくなっている。符号２１、２５はガイド部である。
【００２２】
上記のように構成した実施例１の作用を説明する。
前記押圧部材２０の開口部２６に、前記クランプ部１０の挟持板１３、１５の後部を挿入する。このとき、止め板１８によって押圧部材２０がクランプ部１０から離脱することが防止される。
【００２３】
次に図５に示すように、パイプ６０に固定金具１を押し付け、パイプ支持部１２、１６の間でパイプ６０を挟んで図６の状態とする。
このとき、パイプ支持部１２、１６の外側の距離Ｄ１はパイプ６０の径よりわずかに小さいため、パイプ支持部１２、１６はパイプ６０の両側から弾力をもって挟持する。
【００２４】
図７に示すように、パイプ支持部１２，１６の表面形状は真円を形成しておらず、円弧部分の中央部１６ａが円弧の真円位置より距離Ｄ３だけ外側に突出した形状である。
従って、円形のパイプ６０を挟持した状態では、パイプ支持部１２、１６の先端部Ｆ１と後端部Ｆ２のみが接触していて、中央部１６ａはパイプ６０表面に密着することなく距離Ｄ３だけ離れた状態である。
【００２５】
その後押圧部材２０を前進させると、前述のように、押圧板２２、２４の内側の距離Ｄ２はパイプ支持部１２、１６の外側の距離Ｄ１より小さいため、押圧板２２、２４の内側がパイプ支持部１２、１６の外側に接触して押圧していき、バネとして機能している中央部１２ａ、１６ａがパイプ６０の表面に密着して、その接触摩擦で固定金具１はパイプ６０に完全に固定されるのである（図８参照）。
【００２６】
このようにして、パイプ６０に適当数の固定金具１を取り付けた後、この固定金具１，１・・に看板などの物品を取り付けるのである。
【００２７】
上記実施例１の固定金具によれば、簡易な構成でありながら容易かつ強固にパイプへ固定することができるから、パイプで組み立てた足場などに看板などの物品を確実に固定できるのである。
【実施例２】
【００２８】
本発明の実施例２は、図９から図１１に示すものである。
本実施例の固定金具２は、前記実施例１の固定金具に、看板などの物品を確実に固定できる取付部材４０を固定したものである。実施例１と同一の部分は、同一の符号を付して説明を省略する。
取付部材４０は、前記押圧部材２０の押圧板２２、２４と略同大の側板４１、４３を連結板４２で連結して略コ字状に構成したもので、一方の押圧板２４の表面に、支持軸４４によって回動可能に取り付けられている。
【００２９】
使用に際しては、図１１に示すように、前述のようにして固定金具２をパイプ６１，６１に固定した後、取付部材４０を支持軸４４を中心に連結板４２表面で回動させて、必要な位置調整をしてから、看板Ｋを取付部材４０，４０・・で支持する。
【００３０】
このように本実施例によれば、パイプで組み立てた足場などに看板Ｋを確実、迅速に固定できるのである。
また、取付部材４０を回動させる必要がない場合には、支持軸４４を設けずに、押圧板２４表面に固定しても良い。
【実施例３】
【００３１】
本発明の実施例３は、図１２から図１４に示すものである。
本実施例の固定金具３は、前記実施例１の固定金具に、巾木を止めるための巾木止めを固定したものである。実施例１と同一の部分は、同一の符号を付して説明を省略する。
【００３２】
前記固定金具３の一対の押圧板２２、２４のうち、一方の押圧板２４の表面に、巾木止め３０，３０を固定する。
この巾木止め３０は、１枚の板材の端部の所定幅を押圧板２４の表面に固定して固定部３１とし、この固定部３１の端部を直角に曲折して所定幅の曲折部３２を構成し、この曲折部３２の端部を固定部３１と反対側に直角に曲折して巾木支持部３３を構成している。
【００３３】
実施例３の作用を説明する。
図１４に示すように、足場組み立ての現場において、水平なパイプ６２に足場の爪７１をかけて足場７０を固定する。このとき足場７０とパイプ６１の間に間隙Ｓ１が生じる。この間隙Ｓ１は施工時に作業者が足を踏み外したりして危険であるので、巾木８０を水平なパイプ６２，６２に掛け渡して危険を防止するのである。
【００３４】
この巾木８０を固定する場合、前述した方法で、２個の固定金具１，１を２本の垂直なパイプ６０，６０に固定してから、巾木止め３０，３０の曲折部３２，３２と巾木支持部３３，３３を巾木８０の両側上端の表面に当てて、巾木８０を押さえつける。
【００３５】
これにより、巾木８０は確実に固定され、足場７０とパイプ６０間の間隙Ｓ１が閉塞されて、施工時の危険が防止できる。
【００３６】
本実施例では、図示のように押圧板２４の表面に巾木止め３０を２個固定しているが、１個のみ固定しても良い。
また、前述の取付部材４０のように、巾木止め３０を押圧板２４の表面に回動自在に軸支した構成としても良い。この場合は、巾木止め３０の微妙な位置調整ができるため、巾木８０のより確実な固定ができる。
【実施例４】
【００３７】
本発明の実施例４は、図１５から図１８に示すものである。
本実施例の固定金具５は、前記実施例３の巾木止めの形状を変更したものであるため、実施例３と同一の部分は同一の符号を付して説明を省略する。
【００３８】
前記固定金具５の一対の押圧板２２、２４のうち、一方の押圧板２４の表面に、巾木止め３０と巾木止め５０を固定する。
巾木止め３０は実施例３と同一のものであり、巾木止め５０は巾木止め３０と基本的な構成は同様であり、その曲折部５５を巾木止め３０の曲折部３２より長く構成したものである。
【００３９】
本実施例では、図示のように、前記巾木止め３０と巾木止め５０を押圧板２４の表面に固定しているが、これに限定されず、巾木止め５０を１個のみ、あるいは巾木止め５０を２個固定しても良い。
【００４０】
本実施例の作用を説明する。
図１７、１８のように、足場７０とパイプ６０間の間隙Ｓ２が大きい場合、巾木８０を２枚使用する必要が生じ、足場７０とパイプ６０間を斜めに掛け渡さなくてはならない。
この２枚の巾木８０，８０を固定する場合、前述のように、２個の固定金具１，１を２本のパイプ６０に固定してから、巾木止め５０，５０の曲折部５５，５５と巾木支持部５６，５６を巾木８０，８０の両端上端の表面に当てて、２枚の巾木８０を押さえつける。
【００４１】
これにより、２枚の巾木８０は確実に固定され、足場７０とパイプ６０間の大きな間隙Ｓ２が閉塞されて、施工時の危険が防止できる。
また、本実施例では、１枚の巾木を斜めに使用した場合にも適応でき、さらに１枚の巾木を垂直に固定する時には、巾木止め３０を使用することもできる。
【符号の説明】
【００４２】
１    固定金具
２    固定金具
３    固定金具
５    固定金具
１０  クランプ部
１２  パイプ支持部
１３  挟持板
１４  連結板
１５  挟持板
１６  パイプ支持部
１８  止め板
２０  押圧部材
２２  押圧板
２３  連結板
２４  押圧板
２６  開口部
３０  巾木止め
３１  固定部
３２  曲折部
３３  巾木支持部
４０  取付部材
５０  巾木止め
５４  固定部
５５  曲折部
５６  巾木支持部
６０  パイプ
８０  巾木
Ｄ１  距離
Ｄ２  距離
Ｄ３  距離
【図１】
2011106104.tif 000003
【図２】
2011106104.tif 000004
【図３】
2011106104.tif 000005
【図４】
2011106104.tif 000006
【図５】
2011106104.tif 000007
【図６】
2011106104.tif 000008
【図７】
2011106104.tif 000009
【図８】
2011106104.tif 000010
【図９】
2011106104.tif 000011
【図１０】
2011106104.tif 000012
【図１１】
2011106104.tif 000013
【図１２】
2011106104.tif 000014
【図１３】
2011106104.tif 000015
【図１４】
2011106104.tif 000016
【図１５】
2011106104.tif 000017
【図１６】
2011106104.tif 000018
【図１７】
2011106104.tif 000019
【図１８】
2011106104.tif 000020